(57)【要約】      （修正有）【課題】使用しない場合は折り畳んだ状態にし、使用時に展開する折り畳み式の食品容器であって、安定した展開状態が得られる木質折り畳み式平面状食品包装容器を提供する。【解決手段】蓋面部４と、底面容器部５との二枚の折り畳みによって包装容器になる０．２〜２ｍｍの厚さの薄板２平板からなっており、蓋面部４は、二箇所折りになって、中心部を底面容器部５の中心食品収納部の大きさと同じ寸法にして、他の二箇所の両端部を底面容器部５の側板高さと同じ高さになった形状にして、底面容器部５は中心の長方形の四辺に折り曲げ可能な各側板部を持っており、長手方向の側板部には短手方向の側板を接着できるように三角形状の糊代部６を４箇所に設けて、短手方向の二箇所の側板にはそれぞれ余足部７を設けて、長方体の箱状容器を構成できるように組み立て時に折り曲げ可能な押圧溝１０を各箇所に付けた樹脂フイルム加工を両面、又は片面に施した二枚の平板薄板からなっている。【選択図】図１
0003202910.tif 000002
【実用新案登録請求の範囲】
【請求項１】
木質の折り畳み式平面状食品包装容器であって、蓋面部と、底面容器部との二枚の折り畳みによって包装容器になる０．２〜２ｍｍの厚さの薄板平板からなっており、蓋面部は、二箇所折りになって、中心部を底面容器部の中心食品収納部の大きさと同じ寸法にして、他の二箇所の両端部を底面容器部の側板高さと同じ高さになった形状にして、底面容器部は中心の長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けた樹脂フイルム加工を両面、又は片面に施した二枚の平板薄板からなっていることを特徴とする木質折り畳み式平面状食品包装容器。
【請求項２】
木質折り畳み式平面状食品包装容器から構成される箱状長方体容器は、縦１００〜１５０ｍｍ、横１５０〜２５０ｍｍ、高さ２５〜４０ｍｍであって、長手方向の側板部の端に付いている糊代部は一辺２０〜４０ｍｍの直角三角形の形状にして、短手方向の側板に付いている余足部は８〜１５ｍｍの幅の長方形状にして、折り曲げ可能な押圧溝を蓋板面に３個所、底板容器部に４箇所、糊代部４箇所、補足部に２箇所、短手方向の側板の斜め折り曲げ部４箇所に、樹脂フイルムを施している面に０．１〜１．５ｍｍ幅の押圧溝部を設けていることを特徴とする請求項１に記載の木質折り畳み式平面状食品包装容器。
【請求項３】
木質材としては、杉、檜、松、樅であって、０．２〜２ｍｍの厚さの薄板平板に、片面、又は両面にオレフィン系樹脂フイルムの１０〜１００μの接着剤を塗布して圧縮加熱による接着を施したものであって、木質の木目が鮮明に露呈でるように加工したものであり、樹脂フイルム接着面に木質との通気性を持たせるように樹脂面に突穴を設けていることを特徴とする請求項１、又は請求項２に記載の木質折り畳み式平面状食品包装容器。
【請求項４】
木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを一対として重ねあわせていることを特徴とする請求項１〜請求項３のいずれかに記載の木質折り畳み式平面状食品包装容器。
【考案の詳細な説明】
【技術分野】
【０００１】この考案は箱形の木質薄板を使用した食品包装容器に関し、特に使用していない場合折り畳んで収納できる木質折り畳み式平面状食品包装容器に関する。
【背景技術】
【０００２】従来の折り畳み可能な木質弁当容器は、板材の一方の面に折り溝を形成し、この折り溝で板材の両端を折り曲げて弁当容器の一対の側壁と、及び底面を形成する。即ち、板材の短手方向の両端に近い位置にそれぞれ対称の折り溝を形成し、折り溝で板材の両端を折り曲げて板材の両端が直立した状態において断面がコの字状を呈するようにする。また、長手方向の両端は紙材で塞ぐ方法が提案された。【０００３】容易に開封することができ、また収容した袋部材等を破るおそれの少ない包装用容器を提供すること。大きな押し込み力を要せず開封することができる包装用容器を提供するために、端部を折り畳んだ袋部材を収容し、周囲の一部を剪断容易な境界線によって形成して折り曲げられる押し込み部を押し込み、前記押し込み部から引き裂くことにより開封する包装用容器であって、前記袋部材の端部に少なくとも第１折り畳み部と、該第１折り畳み部に続く第２折り畳込み部とを形成することにより包装用容器内の前記押し込み部の内側に空間を形成し、前記押し込み部の寸法を、押し込まれた該押し込み部が前記袋部材の端部に接触しないような包装用容器が提供されている（特許文献１参照）。【０００４】容易に折り畳める経木を使用した食品包装用容器を提供することを目的として、内面に紙を貼った経木の外面の両端から、容器の深さに値するところに、経木の繊維方向に垂直になるように切り込みやＶカットを入れて、両端を内側に折り曲げて容器の底と側板とする。両側板を底から垂直に立ち上げたり、内側に折り曲げたりを可能にするために両側板を底から垂直に立ち上げたまま、妻板側に紙を貼り、垂直に立ち上げた両側板と底を固定する。これで底に連結した両側板は底から垂直に立ち上がり外側には倒れず、内側だけに折り畳められる容器が提案されている（特許文献２参照）。【０００５】ワンウェイ弁当容器等の食品包装用容器の陳列効果を維持しつつ、容器の幅を変更して持ち帰りし易くした食品容器として、ご飯を入れる収納凹部とおかずを入れる収納凹部をヒンジ部で繋ぐ事により折り畳んで重ねる事が出来るようにし、且つ収納凹部の少なくとも一方に蓋を被せて折り畳みの作業を容易に行えるようにしたものが提案されている（特許文献３参照）。【０００６】組立式であって、使用後、平板状のまま容器の四隅を洗いやすく、収納を楽にした一枚のシート材に折り目加工をした特徴ある折り畳み式の食品容器を提供するために、底部の四隅方向の折り目を介して左右の壁と前後の壁を設け、更に前後の壁の延長である先端の折込部を内側に折り曲げ、折込部の更に内側と前後の壁の内側に留め部を備えたシート材の折り畳み式の食品容器が提案されている（特許文献４参照）。【０００７】使用しない場合は折り畳んだ状態にし、使用時に展開する折り畳み式の弁当容器であって、従来の技術に見られるように弁当容器が展開した状態を保つために別途支持板を嵌め込むことなく、弁当容器の安定した展開状態が得られる木質弁当容器を提供する。木質の弁当容器であって、底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該弁当容器が展開した状態を保つように設けた端面封着紙と、によって構成することが提案されている（特許文献５参照）。【０００８】在庫管理を容易にするために、紙製の折り畳み式平面状食品包装容器は種々存在しているが、薄板の木製折り畳み式平面状食品包装容器は見当たらない。特に折り曲げの技術に課題をもっている。
【先行技術文献】
【特許文献】
【０００９】
【特許文献１】特開２００７−１７６５１３号公報
【特許文献２】特開２００６−１８８２４４号公報
【特許文献３】特開２００２−１６０７８６号公報
【特許文献４】実開平５−２９９２５号公報
【特許文献５】実用新案登録第３１３４１１１号公報
【考案の概要】
【考案が解決しようとする課題】
【００１０】この考案は、使用しない場合は折り畳んだ状態にし、使用時に展開する折り畳み式の包装容器であって、従来の技術に見られるように食品包装容器が展開した状態を保つために別途支持板を嵌め込むことなく、食品収納の薄板容器の安定した展開状態が得られる木質平板状包装容器を提供することを課題とする。【００１１】前記の点に鑑みなされたものであり、紙、樹脂、木材の容器の折り畳みを可能とし、省スペース化を図ることにより廃棄や回収時の効率を高めることができる新たな容器並びにその折り畳みのための構造を提供するものである。容器の折り畳みを可能とし、省スペース化を図ることにより廃棄や回収時の効率を高めることができる新たな容器並びにその折り畳みのための構造、さらにこの容器を用いた食品を提供するものである。
【課題を解決するための手段】
【００１２】木質の折り畳み式平面状食品包装容器であって、蓋面部と、底面容器部との二枚の折り畳みによって包装容器になる０．２〜２ｍｍの厚さの薄板平板からなっており、蓋面部は、三箇所折りになって、中心部を底面容器部の中心食品収納部の大きさと同じ寸法にして、他の二カ所の両端部を底面容器部の側板高さと同じ高さになった形状にして、底面容器部は中心の長方形の四辺に折り曲げ可能な各側板部を持っており、長手方向の側板部には短手方向の側板とを接着できるように三角形状の糊代部を４箇所設けて、短手方向の二箇所の側板にはそれぞれ補足部を設けて、長方体の箱状容器を構成できるように組み立て時に折り曲げ可能な圧縮溝を各箇所に付けた樹脂フイルム加工を両面、又は片面に施した二枚の平板薄板からなっている木質折り畳み式平面状食品包装容器である。【００１３】木質折り畳み式平面状食品包装容器から構成される箱状長方体容器は、縦１００〜１５０ｍｍ、横１５０〜２５０ｍｍ、高さ２５〜４０ｍｍであって、長手方向の側板部の端に付いている糊代部は一辺２５〜４０ｍｍの二等辺三角形の形状にして、短手方向の側板に付いている補足部は８〜１５ｍｍの幅の長方形状にして、折り曲げ可能な圧縮溝を蓋板面に３個所、底板容器部に４箇所、糊代部４箇所、補足部に２箇所、短手方向の側板の斜め折り曲げ部４箇所に、樹脂フイルムを施している面に０．１〜１．５ｍｍ幅の溝部を設けている。【００１４】木質材としては、杉、檜、松、樅であって、０．２〜２ｍｍの厚さの薄板平板に、片面、又は両面にオレフィン系樹脂フイルムの１０〜１００μの接着剤を塗布して圧縮加熱接着を施したものであって、木質の木目が鮮明にでるように加工したものであり、樹脂フイルム接着面を木質との通気性を持たせるようにしている。【００１５】木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを重ねあわせている。
【考案の効果】
【００１６】この考案による木質の折り畳み式平面状食品包装容器は、蓋面部と、底面容器部との二枚の折り畳みによって包装容器になる０．２〜２ｍｍの厚さの薄板平板からなっており、数箇所折りになって底面部と蓋面部とを一体に成形することによって製造工程を簡易化することができるため、製品の歩留まりを高めることができるとともに、折り畳んで収納、搬送する場合に便利であり、また展開して食品包装容器として使用する場合に展開した状態を確実に保つことができるという利点を有する。
【図面の簡単な説明】
【００１７】
【図１】従来の紙材で端面を封着した折り畳み式平面状食品包装容器を示した説明図である。Ａ：蓋の図  Ｂ：収納容器の図
【図２】木質容器の蓋面部を展開する動作を示した説明図である。
【図３】木質容器の収納容器を展開した状態を示した説明図である。
【図４】木質容器を収納容器で展開する状態と折り畳んだ状態を示した説明図である。
【考案を実施するための形態】
【００１８】この考案は、使用しない場合は折り畳んで収納することができ、展開して弁当容器として使用できる折り畳み式平面状食品包装容器を提供するものであって、蓋面部と底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該折り畳み式平面状食品包装容器が展開した状態を保つように設けた。
【００１９】かかる折り畳み式平面状食品包装容器の構造と特徴を説明するために、具体的な実施例を挙げ、図面を参照にして以下に説明する。
【実施例１】
【００２０】図１に示すように木質の折り畳み式平面状食品包装容器であって、横１１３ｍｍ、縦１８５ｍｍの長方形の中央部と、縦３０ｍｍ、横１８５ｍｍ（１７５ｍｍ）の台形である二カ所の両端部を持っている蓋面部と、横１１３ｍｍ、縦１８５ｍｍの長方形の中央部と、縦３０ｍｍ、横１８５ｍｍの長方形である二カ所の左右端部、縦３０ｍｍ、横１１３ｍｍの長方形である二カ所の上下端部を持っている底面容器部との二枚の折り畳みによって包装容器になる０．５ｍｍの厚さの１５ミクロンのオレフィンフイルム樹脂による被覆薄板平板から製作された。【００２１】図２に示すように、当該の蓋面部は、中央部を基に三箇所折りになって、横１１３ｍｍ、縦１８５ｍｍの長方形の中心部を底面容器部の中心食品収納部の寸法と同じ寸法にして、他の二カ所の高さ３０ｍｍの両端部を底面容器部の側板高さと同じ高さになった形状にした。また図３に示すように底面収納容器部は横１１３ｍｍ、縦１８５ｍｍの長方形の中心部の周囲の四辺に折り曲げ可能な高さ３０ｍｍの各側板部を持っており、左右の長手方向の側板部には上下の短手方向の側板を接着できるように２０ｍｍ、３０ｍｍの直角三角形状の糊代部を左右の長手方向の側板部の端部の４箇所設けて、上下の短手方向の二箇所の側板にはそれぞれ幅１１ｍｍ、長さ１１１ｍｍの補足部を設けた。【００２２】図４に示すように、長方体の箱状容器を構成できるように組み立て時に折り曲げ可能な幅０．１ｍｍ、深さ０．２ｍｍの圧縮溝を各箇所に付けた１５ミクロンのポリエチレンフイルム被覆加工を両面に施した二枚の平板薄板を使用した。折り曲げ可能な圧縮溝を蓋板面に３個所、底板容器部に４箇所、糊代部４箇所、補足部に２箇所、短手方向の側板の斜め折り曲げ部４箇所に、オレフィン樹脂フイルムを施している片面側に０．２ｍｍ幅の溝部を設けた。【００２３】木質材としては、杉であって、０．５ｍｍの厚さの薄板平板に、両面にポリエチレン系樹脂フイルムの１５μｍの接着剤を塗布して６０℃での圧縮加熱接着を施したものであって、木質の木目が鮮明にでるように加工したものであり、樹脂フイルム接着面を木質との通気性を持たせた。【００２４】木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを重ねあわせて、製品として使用した。
【実施例２】
【００２５】実施例１と同様に、木質の折り畳み式平面状食品包装容器であって、横１１３ｍｍ、縦１８５ｍｍの長方形の中央部と、縦３０ｍｍ、横１８５ｍｍ（１７５ｍｍ）の台形である二カ所の両端部を持っている蓋面部と、横１１３ｍｍ、縦１８５ｍｍの長方形の中央部と、縦３０ｍｍ、横１８５ｍｍの長方形である二カ所の左右端部、縦３０ｍｍ、横１１３ｍｍの長方形である二カ所の上下端部を持っている底面容器部との二枚の折り畳みによって包装容器になる０．５ｍｍの厚さの２５ミクロンのポリプロピレンフイルム樹脂による被覆された檜の薄板平板から製作された。【００２６】当該の蓋面部は、中央部を基に三箇所折りになって、横１１３ｍｍ、縦１８５ｍｍの長方形の中心部を底面容器部の中心食品収納部の寸法と同じ寸法にして、他の二カ所の高さ３０ｍｍの両端部を底面容器部の側板高さと同じ高さになった形状にした。また底面容器部は横１１３ｍｍ、縦１８５ｍｍの長方形の中心部の周囲の四辺に折り曲げ可能な高さ３０ｍｍの各側板部を持っており、左右の長手方向の側板部には上下の短手方向の側板を接着できるように２０ｍｍ、３０ｍｍの直角三角形状の糊代部を左右の長手方向の側板部の端部の４箇所設けて、上下の短手方向の二箇所の側板にはそれぞれ幅１１ｍｍ、長さ１１１ｍｍの補足部を設けた。【００２７】長方体の箱状容器を構成できるように組み立て時に折り曲げ可能な幅０．１ｍｍ、深さ０．２ｍｍの圧縮溝を各箇所に付けた１５ミクロンのポリプロピレンフイルム被覆加工を両面に施した二枚の平板薄板を使用した。折り曲げ可能な圧縮溝を蓋板面に３個所、底板容器部に４箇所、糊代部４箇所、補足部に２箇所、短手方向の側板の斜め折り曲げ部４箇所に、ポリプロピレン樹脂フイルムを施している片面側に０．２ｍｍ幅の溝部を設けた。【００２８】木質材としては、檜であって、０．５ｍｍの厚さの薄板平板に、両面にポリプロピレン系樹脂フイルムの２５μｍの接着剤を塗布して６０℃での圧縮加熱接着を施したものであって、木質の木目が鮮明にでるように加工したものであり、樹脂フイルム接着面の片面で２０〜４０ミクロンの穴を開けたフイルムで木質との通気性を持たせた。【００２９】木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを重ねあわせて、製品として使用した。
【実施例３】
【００３０】木質の折り畳み式平面状食品包装容器であって、横１１３ｍｍ、縦１８５ｍｍの長方形の中央部と、縦３０ｍｍ、横１８５ｍｍ（１７５ｍｍ）の台形である二カ所の両端部を持っている蓋面部と、横１１３ｍｍ、縦１８５ｍｍの長方形の中央部と、縦３０ｍｍ、横１８５ｍｍの長方形である二カ所の左右端部、縦３０ｍｍ、横１１３ｍｍの長方形である二カ所の上下端部を持っている底面容器部との二枚の折り畳みによって包装容器になる０．５ｍｍの厚さの２５ミクロンのオレフィンフイルム樹脂による被覆された松の薄板平板から製作された。【００３１】当該の蓋面部は、中央部を基に三箇所折りになって、横１１３ｍｍ、縦１８５ｍｍの長方形の中心部を底面容器部の中心食品収納部の寸法と同じ寸法にして、他の二カ所の高さ３０ｍｍの両端部を底面容器部の側板高さと同じ高さになった形状にした。また底面容器部は横１１３ｍｍ、縦１８５ｍｍの長方形の中心部の周囲の四辺に折り曲げ可能な高さ３０ｍｍの各側板部を持っており、左右の長手方向の側板部には上下の短手方向の側板を接着できるように２０ｍｍ、３０ｍｍの直角三角形状の糊代部を左右の長手方向の側板部の端部の４箇所設けて、上下の短手方向の二箇所の側板にはそれぞれ幅１１ｍｍ、長さ１１１ｍｍの補足部を設けた。【００３２】長方体の箱状容器を構成できるように組み立て時に折り曲げ可能な幅０．１ｍｍ、深さ０．２ｍｍの圧縮溝を各箇所に付けた２５ミクロンのポリエチレンフイルム被覆加工を両面に施した二枚の平板薄板を使用した。折り曲げ可能な圧縮溝を蓋板面に３個所、底板容器部に４箇所、糊代部４箇所、補足部に２箇所、短手方向の側板の斜め折り曲げ部４箇所に、オレフィン樹脂フイルムを施している片面側に０．２ｍｍ幅の溝部を設けた。【００３３】木質材としては、松木であって、０．５ｍｍの厚さの薄板平板に、両面に穴開きのポリプロピレン系樹脂フイルムの２５μｍの接着剤を塗布して６０℃での圧縮加熱接着を施したものであって、木質の木目が鮮明にでるように加工したものであり、樹脂フイルム接着面を木質との通気性を持たせた。【００３４】木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを重ねあわせて、製品として使用した。
【符号の説明】
【００３５】１．  折り畳み式平面状食品包装容器
２．  薄板
３．  樹脂フイルム
４．  蓋面部
５．  底面容器部
６．  糊代部
７．  余足部
８．  折り曲げ部
９．  斜め折り曲げ部
１０．押圧溝
１１．側板部
１２．接着部
１３．三角形面部
１４．木目
【図１】
0003202910.tif 000003
【図２】
0003202910.tif 000004
【図３】
0003202910.tif 000005
【図４】
0003202910.tif 000006
【手続補正書】
【提出日】平成27年12月11日(2015.12.11)
【手続補正１】
【補正対象書類名】実用新案登録請求の範囲
【補正対象項目名】全文
【補正方法】変更
【補正の内容】
【実用新案登録請求の範囲】
【請求項１】
木質の折り畳み式平面状食品包装容器であって、蓋面部と、底面容器部との二枚の折り畳みによって包装容器になる０．２〜２ｍｍの厚さの薄板平板からなっており、蓋面部は、二箇所折りになって、中心部を底面容器部の中心食品収納部の大きさと同じ寸法にして、他の二箇所の両端部を底面容器部の側板高さと同じ高さになった形状にして、底面容器部は中心の長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けた樹脂フイルム加工を両面、又は片面に施した二枚の平板薄板からなっていることを特徴とする木質折り畳み式平面状食品包装容器。
【請求項２】
木質折り畳み式平面状食品包装容器から構成される箱状長方体容器は、縦１００〜１５０ｍｍ、横１５０〜２５０ｍｍ、高さ２５〜４０ｍｍであって、長手方向の側板部の端に付いている糊代部は一辺２０〜４０ｍｍの直角三角形の形状にして、短手方向の側板に付いている余足部は８〜１５ｍｍの幅の長方形状にして、折り曲げ可能な押圧溝を蓋板部に２個所、底板容器部に４箇所、糊代部４箇所、余足部に２箇所、短手方向の側板の斜め折り曲げ部４箇所に、樹脂フイルムを施している面に０．１〜１．５ｍｍ幅の押圧溝部を設けていることを特徴とする請求項１に記載の木質折り畳み式平面状食品包装容器。
【請求項３】
木質材としては、杉、檜、松、樅であって、０．２〜２ｍｍの厚さの薄板平板に、片面、又は両面にオレフィン系樹脂フイルムの１０〜１００μの接着剤を塗布して圧縮加熱による接着を施したものであって、木質の木目が鮮明に露呈でるように加工したものであり、樹脂フイルム接着面に木質との通気性を持たせるように樹脂面に突穴を設けていることを特徴とする請求項１、又は請求項２に記載の木質折り畳み式平面状食品包装容器。
【請求項４】
木質の折り畳み式平面状食品包装容器は、側板部を折り曲げた蓋面部と、短手側板部を内側にして長手側板部を外側にして内部に折り曲げた底面容器部とを重ねた１セット状態にしており、底面容器部は、中心の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、蓋面部と底面容器部とを一対として重ねあわせていることを特徴とする請求項１〜請求項３のいずれかに記載の木質折り畳み式平面状食品包装容器。
【手続補正２】
【補正対象書類名】明細書
【補正対象項目名】００１３
【補正方法】変更
【補正の内容】
【００１３】木質折り畳み式平面状食品包装容器から構成される箱状長方体容器は、縦１００〜１５０ｍｍ、横１５０〜２５０ｍｍ、高さ２５〜４０ｍｍであって、長手方向の側板部の端に付いている糊代部は一辺２５〜４０ｍｍの二等辺三角形の形状にして、短手方向の側板に付いている余足部は８〜１５ｍｍの幅の長方形状にして、折り曲げ可能な圧縮溝を蓋板部に２個所、底板容器部に４箇所、糊代部４箇所、余足部に２箇所、短手方向の側板の斜め折り曲げ部４箇所に、樹脂フイルムを施している面に０．１〜１．５ｍｍ幅の溝部を設けている。